(57)【要約】    【課題】  全系が小型で、大口径比、広画角で全ズーム範囲にわたり良好なる光学性能を有するズームレンズを得ること。    【解決手段】  複数のレンズ群を有し、ズーミングに際して隣り合うレンズ群の間隔が変化するズームレンズであって、複数のレンズ群は、物体側から像側へ順に配置された、負の屈折力の第１レンズ群、正の屈折力の第２レンズ群、２つ以上のレンズ群を含む後群から成り、ズーミングに際して第１レンズ群が移動し、第１レンズ群は物体側から像側へ順に配置された、負レンズＧ１、負レンズＧ２、負レンズＧ３を有し、後群は、１つ以上の負の屈折力のレンズ群を有し、第１レンズ群の焦点距離ｆ１、第２レンズ群の焦点距離ｆ２、広角端におけるズームレンズの焦点距離ｆｗ、広角端におけるレンズ全長Ｌｗ、広角端におけるバックフォーカスｓｋｗを各々適切に設定すること。【選択図】    図１
2019191307.tif 000002
【特許請求の範囲】
【請求項１】
複数のレンズ群を有し、ズーミングに際して隣り合うレンズ群の間隔が変化するズームレンズであって、
前記複数のレンズ群は、物体側から像側へ順に配置された、負の屈折力の第１レンズ群、正の屈折力の第２レンズ群、２つ以上のレンズ群を含む後群から成り、
ズーミングに際して前記第１レンズ群が移動し、
前記第１レンズ群は物体側から像側へ順に配置された、負レンズＧ１、負レンズＧ２、負レンズＧ３を有し、
前記後群は、１つ以上の負の屈折力のレンズ群を有し、
前記第１レンズ群の焦点距離をｆ１、前記第２レンズ群の焦点距離をｆ２、広角端における前記ズームレンズの焦点距離をｆｗ、広角端におけるレンズ全長をＬｗ、広角端におけるバックフォーカスをｓｋｗとするとき、
−３．２＜ｆ１／ｆｗ＜−１．６６
１．４５＜ｆ２／ｆｗ＜２０．００
８．０＜Ｌｗ／ｓｋｗ＜５０．０
−１０．０＜ｆ１／ｓｋｗ＜−１．２
なる条件式を満足することを特徴とするズームレンズ。
【請求項２】
ズーミングに際して前記第２レンズ群は移動することを特徴とする請求項１に記載のズームレンズ。
【請求項３】
前記負レンズＧ１と前記負レンズＧ２は独立していることを特徴とする請求項１または２に記載のズームレンズ。
【請求項４】
前記後群に含まれる負の屈折力のレンズ群のうち、最も物体側に配置された負の屈折力のレンズ群ＬＮの焦点距離をｆｎとするとき、
０．３＜ｆ１／ｆｎ＜５．０
なる条件式を満足することを特徴とする請求項１乃至３のいずれか１項に記載のズームレンズ。
【請求項５】
前記後群は１つ以上の正の屈折力のレンズ群を有し、前記後群に含まれる正の屈折力のレンズ群のうち最も像側に配置された正の屈折力のレンズ群ＬＰの焦点距離をｆｐとするとき、
−２．０＜ｆ１／ｆｐ＜−０．２
なる条件式を満足することを特徴とする請求項１乃至４のいずれか１項に記載のズームレンズ。
【請求項６】
前記負レンズＧ１は非球面量が正の非球面を有し、前記負レンズＧ２は非球面量が負の非球面を有することを特徴とする請求項１乃至５のいずれか１項に記載のズームレンズ。
【請求項７】
前記後群は、物体側から像側へ順に配置された、負の屈折力の第３レンズ群、正の屈折力の第４レンズ群から成ることを特徴とする請求項１乃至６のいずれか１項に記載のズームレンズ。
【請求項８】
前記後群は、物体側から像側へ順に配置された、正の屈折力の第３レンズ群、負の屈折力の第４レンズ群、正の屈折力の第５レンズ群から成ることを特徴とする請求項１乃至６のいずれか１項に記載のズームレンズ。
【請求項９】
前記後群は、物体側から像側へ順に配置された、正の屈折力の第３レンズ群、負の屈折力の第４レンズ群、正の屈折力の第５レンズ群、負の屈折力の第６レンズ群から成ることを特徴とする請求項１乃至６のいずれか１項に記載のズームレンズ。
【請求項１０】
請求項１乃至９いずれか１項に記載のズームレンズと、該ズームレンズによって形成された像を受光する撮像素子を有することを特徴とする撮像装置。
【発明の詳細な説明】
【技術分野】
【０００１】
本発明は、ズームレンズに関し、例えばデジタルスチルカメラ、ビデオカメラ、ＴＶカメラ、監視用カメラ等の撮像装置の撮像光学系として好適なものである。
【背景技術】
【０００２】
近年、撮像装置に用いられる撮像光学系においては、全系が小型で、大口径比で広画角でありながら、物体距離全般にわたり高性能（高解像力）なズームレンズであることが要求されている。このうち撮像全画角が１００度程度の広画角のズームレンズとして、負の屈折力のレンズ群が先行する（最も物体側に位置する）ネガティブリード型のズームレンズが知られている（特許文献１、２）。
【０００３】
特許文献１、２では、負の屈折力の第１レンズ群、正の屈折力の第２レンズ群、負の屈折力の第３レンズ群、正の屈折力の第４レンズ群より成る広角端での撮像全画角１００度程度の広画角のズームレンズを開示している。このうち特許文献１ではＦナンバー２．９１〜４．１０の大口径比のズームレンズを開示している。また特許文献２ではＦナンバー４．１０の大口径比のズームレンズを開示している。
【先行技術文献】
【特許文献】
【０００４】
【特許文献１】特開２０１４−２０６６７４号公報
【特許文献２】特開２０１７−１４６３９３号公報
【発明の概要】
【発明が解決しようとする課題】
【０００５】
ネガティブリード型のズームレンズは、全系の小型化を図りつつ、広画角化を図るのが比較的容易である。しかしながらネガティブリード型のズームレンズは、レンズ構成が開口絞りに対して非対称な配置となるため、広画角化及び大口径比化を図ると歪曲などの諸収差が多く発生し、これらの収差補正が難しくなる。特に撮像画角が１００度を超えるような広画角域を含むズームレンズは、諸収差が多く発生してくる。
【０００６】
ネガティブリード型のズームレンズにおいて、全系の小型化と、広画角化及び大口径比を確保しつつ全ズーム範囲にわたり高い光学性能を得るには、ズームレンズを構成する各レンズ群を適切に設定することが重要である。特に負の屈折力の第１レンズ群のレンズ構成を適切に設定することが重要となる。例えば、前玉有効径（第１レンズ群の有効径）を小さくしつつ、広画角化を図るには、第１レンズ群の負の屈折力を強くすれば良い。
【０００７】
しかしながら、第１レンズ群の負の屈折力を強くすると、広角域での倍率色収差や歪曲といった諸収差が増大し、これらの諸収差の補正が困難になってくる。そのため、第１レンズ群のレンズ構成が適切でないと、広画角化を図る際に全系が大型化し、又、ズーミングに伴う諸収差の変動が増大し、全ズーム範囲、及び画面全体にわたり高い光学性能を得るのが大変難しくなってくる。
【０００８】
本発明は、全系が小型で、大口径比、広画角で全ズーム範囲にわたり良好なる光学性能を有するズームレンズ及びそれを有する撮像装置の提供を目的とする。
【課題を解決するための手段】
【０００９】
本発明のズームレンズは、複数のレンズ群を有し、ズーミングに際して隣り合うレンズ群の間隔が変化するズームレンズであって、
前記複数のレンズ群は、物体側から像側へ順に配置された、負の屈折力の第１レンズ群、正の屈折力の第２レンズ群、２つ以上のレンズ群を含む後群から成り、
ズーミングに際して前記第１レンズ群が移動し、
前記第１レンズ群は物体側から像側へ順に配置された、負レンズＧ１、負レンズＧ２、負レンズＧ３を有し、
前記後群は、１つ以上の負の屈折力のレンズ群を有し、
前記第１レンズ群の焦点距離をｆ１、前記第２レンズ群の焦点距離をｆ２、広角端における前記ズームレンズの焦点距離をｆｗ、広角端におけるレンズ全長をＬｗ、広角端におけるバックフォーカスをｓｋｗとするとき、
−３．２＜ｆ１／ｆｗ＜−１．６６
１．４５＜ｆ２／ｆｗ＜２０．００
８．０＜Ｌｗ／ｓｋｗ＜５０．０
−１０．０＜ｆ１／ｓｋｗ＜−１．２
なる条件式を満足することを特徴としている。
【発明の効果】
【００１０】
本発明によれば、全系が小型で、大口径比、広画角で全ズーム範囲にわたり良好なる光学性能を有するズームレンズが得られる。
【図面の簡単な説明】
【００１１】
【図１】実施例１の広角端において無限遠合焦時のレンズ断面図
【図２】実施例１の無限遠合焦時の収差図
【図３】実施例２の広角端において無限遠合焦時のレンズ断面図
【図４】実施例２の無限遠合焦時の収差図
【図５】実施例３の広角端において無限遠合焦時のレンズ断面図
【図６】実施例３の無限遠合焦時の収差図
【図７】実施例４の広角端において無限遠合焦時のレンズ断面図
【図８】実施例４の無限遠合焦時の収差図
【図９】実施例５の広角端において無限遠合焦時のレンズ断面図
【図１０】実施例５の無限遠合焦時の収差図
【図１１】本発明の撮像装置の要部概略図
【図１２】非球面形状の説明図
【発明を実施するための形態】
【００１２】
以下に、本発明の好ましい実施の形態を、添付の図面に基づいて詳細に説明する。
【００１３】
本発明のズームレンズは、複数のレンズ群を有し、ズーミングに際して隣り合うレンズ群の間隔が変化する。具体的には、物体側から像側へ順に配置された、負の屈折力の第１レンズ群、正の屈折力の第２レンズ群、２つ以上のレンズ群を含む後群から成る。ズーミングに際して第１レンズ群を含む２つ以上のレンズ群が移動し、隣り合うレンズ群の間隔が変化する。
【００１４】
図１は本発明の実施例１のズームレンズの広角端（短焦点距離端）におけるレンズ断面図である。図２（Ａ）、（Ｂ）、（Ｃ）はそれぞれ実施例１のズームレンズの無限遠合焦時の広角端、中間ズーム位置、望遠端（長焦点距離端）における収差図である。実施例１はズーム比１．８８、開口比（Ｆナンバー）２．０６、撮像半画角５６．３２度〜３８．５４度程度のズームレンズである。以下、収差図は全て無限遠合焦時である。
【００１５】
図３は本発明の実施例２のズームレンズの広角端におけるレンズ断面図である。図４（Ａ）、（Ｂ）、（Ｃ）はそれぞれ実施例２のズームレンズの広角端、中間ズーム位置、望遠端における収差図である。実施例２はズーム比１．８８、開口比２．０６程度、撮像半画角５６．３２度〜３８．５４度程度のズームレンズである。
【００１６】
図５は本発明の実施例３のズームレンズの広角端におけるレンズ断面図である。図６（Ａ）、（Ｂ）、（Ｃ）はそれぞれ実施例３のズームレンズの広角端、中間ズーム位置、望遠端における収差図である。実施例３はズーム比１．９１、開口比２．８０、撮像半画角５６．７２度〜３８．５４度程度のズームレンズである。
【００１７】
図７は本発明の実施例４のズームレンズの広角端におけるレンズ断面図である。図８（Ａ）、（Ｂ）、（Ｃ）はそれぞれ実施例４のズームレンズの広角端、中間ズーム位置、望遠端における収差図である。実施例４はズーム比１．９１、開口比２．８８、撮像半画角５６．７２度〜３８．５４度程度のズームレンズである。
【００１８】
図９は本発明の実施例５のズームレンズの広角端におけるレンズ断面図である。図１０（Ａ）、（Ｂ）、（Ｃ）はそれぞれ実施例５のズームレンズの広角端、中間ズーム位置、望遠端における収差図である。実施例５はズーム比２．０２、開口比２．８８、撮像半画角５１．７２度〜３２．０９度程度のズームレンズである。
【００１９】
図１１は本発明のズームレンズを備える撮像装置の要部概略図である。図１２は非球面形状の説明図である。
【００２０】
各実施例のズームレンズは、デジタルスチルカメラ、ビデオカメラ等の撮像装置に用いられる撮像光学系である。レンズ断面図において、左方が物体側（前方）で、右方が像側（後方）である。尚、各実施例のズームレンズは投射装置（プロジェクタ）用の投射光学系として用いることもできる。このときは左方がスクリーン、右方が被投射面となる。レンズ断面図においてＬｉは第ｉレンズ群である。Ｌ１は負の屈折力（光学的パワー＝焦点距離の逆数）の第１レンズ群、Ｌ２は正の屈折力の第２レンズ群である。ＬＲは２以上のレンズ群を含む後群である。
【００２１】
ＬＮは後群ＬＲに含まれる負の屈折力のレンズ群のうち最も物体側の負の屈折力のレンズ群である。ＬＰは後群ＬＲに含まれる正の屈折力のレンズ群のうち最も像側の正の屈折力のレンズ群である。
【００２２】
実施例１、２において、後群ＬＲは物体側から像側へ順に配置された負の屈折力の第３レンズ群（レンズ群ＬＮ）、正の屈折力の第４レンズ群（レンズ群ＬＰ）より構成される。
【００２３】
実施例３、４において、後群ＬＲは物体側から像側へ順に配置された正の屈折力の第３レンズ群、負の屈折力の第４レンズ群（レンズ群ＬＮ）、正の屈折力の第５レンズ群より構成される。
【００２４】
実施例５において、後群ＬＲは物体側から像側へ順に配置された正の屈折力の第３レンズ群、負の屈折力の第４レンズ群（レンズ群ＬＮ）、正の屈折力の第５レンズ群（レンズ群ＬＰ）、負の屈折力の第６レンズ群より構成される。
【００２５】
ＳＰは撮影時の絞り値に応じた撮影光束径を制御する開口径可変の撮影光束径決定部材（以下「開口絞り」と呼ぶ）である。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。
【００２６】
球面収差図において、実線ｄはｄ線（波長５８７．６ｎｍ）、２点鎖線ｇはｇ線（波長４３５．８ｎｍ）である。非点収差図において点線Ｍはｄ線のメリディオナル像面、実線Ｓはｄ線のサジタル像面を表している。歪曲はｄ線について示している。また、倍率色収差は、ｄ線を基準とした際のｇ線の差分を表している。
【００２７】
ＦｎｏはＦナンバーである。ωは撮像半画角（度）である。尚、以下の各実施例において広角端と望遠端は変倍用レンズ群が機構上、光軸上移動可能な両端に位置したときのズーム位置をいう。レンズ断面図において、矢印は広角端から望遠端へのズーミングに際しての各レンズ群の移動軌跡を示している。フォーカスに関する矢印は無限遠から近距離へのフォーカシングに際してのレンズ群の移動方向を示している。
【００２８】
各実施例のズームレンズについて説明する。各実施例のズームレンズは、物体側から像側へ順に配置された、負の屈折力の第１レンズ群Ｌ１と、正の屈折力の第２レンズ群Ｌ２、２つ以上のレンズ群を含む後群ＬＲから構成されている。そしてズーミングに際して隣り合うレンズ群の間隔が変化する。
【００２９】
各実施例において、後群ＬＲは、１つ以上の負の屈折力のレンズ群を有し、第１レンズ群Ｌ１は物体側から像側へ順に配置された負レンズＧ１、負レンズＧ２、負レンズＧ３の３つのレンズを有している。
【００３０】
各実施例では第１レンズ群Ｌ１と広角端におけるズームレンズの焦点距離の比、第２レンズ群Ｌ２と広角端におけるズームレンズの焦点距離、広角端におけるバックフォーカスとレンズ全長の比を規定している。更に、第１レンズ群Ｌ１の焦点距離と広角端におけるバックフォーカスの比等を適切に規定している。
【００３１】
第１レンズ群Ｌ１の焦点距離をｆ１、第２レンズ群Ｌ２の焦点距離をｆ２、広角端における全系の焦点距離をｆｗ、広角端における最も物体側のレンズ面から像点までの距離をＬｗ、広角端におけるバックフォーカスをｓｋｗとする。
【００３２】
このとき、
−３．２＜ｆ１／ｆｗ＜−１．６６    ・・・（１）
１．４５＜ｆ２／ｆｗ＜２０．００    ・・・（２）
８．０＜Ｌｗ／ｓｋｗ＜５０．０      ・・・（３）
−１０．０＜ｆ１／ｓｋｗ＜−１．２  ・・・（４）
なる条件式を満足する。
【００３３】
各実施例では、負の屈折力の第１レンズ群Ｌ１と、ズーミングに際して移動する正の屈折力の第２レンズ群Ｌ２を有する。このレンズ構成をとることによる光学的作用について説明する。
【００３４】
各実施例のズームレンズにおけるズーム軌跡では、広角端において第１レンズ群Ｌ１と第２レンズ群Ｌ２以降の各レンズ群は離れており、望遠端において近づくズーム軌跡となっている。広角端において、負の屈折力の第１レンズ群Ｌ１と正の屈折力の第２レンズ群Ｌ２が離れて配置されるため、広角端における第２レンズ群Ｌ２の横倍率の絶対値を小さくすることでき、且つ入射瞳を物体側に押し出すことができる。
【００３５】
そのため、広画角化とズームレンズの小型軽量に有利なレンズ構成となっている。また、第１レンズ群Ｌ１を物体側から順に３つの負レンズを配置することによって、レンズ有効径の大型化を軽減しながら広画角化を図っている。更に、条件式（１）乃至（４）を満たすことで、広画角化を図りつつ、明るいＦナンバーで全ズーム範囲にわたり高い光学性能を得ている。
【００３６】
次に前述の各条件式の技術的意味について説明する。条件式（１）は第１レンズ群Ｌ１の焦点距離と広角端におけるズームレンズの焦点距離の関係を規定している。条件式（１）を満たすことで、第１レンズ群Ｌ１の有効径の小型化を図りつつ高い光学性能を効率的に得ている。条件式（１）の下限を超えると、第１レンズ群Ｌ１の負の屈折力が弱くなりすぎ（負の屈折力の絶対値が小さくなりすぎ）、第１レンズ群Ｌ１の有効径が増大する。
【００３７】
条件式（１）の上限を超えると、第１レンズ群Ｌ１の負の屈折力が強くなりすぎ（負の屈折力の絶対値が大きくなりすぎ）、第２レンズ群Ｌ２以降のレンズ群への軸上光線の入射高さが増大し、望遠端において球面収差、コマ収差の補正が困難となる。
【００３８】
条件式（２）は、第２レンズ群Ｌ２の焦点距離と広角端におけるズームレンズの焦点距離の関係を規定している。条件式（２）を満たすことで、高ズーム比化とズームレンズの小型化を図りつつ、高い光学性能を効率的に得ている。条件式（２）の下限を超えると、第２レンズ群Ｌ２の正の屈折力が強くなりすぎ、ズーミングに際して収差変動が大きくなり、諸収差の補正が困難となる。
【００３９】
条件式（２）の上限を超えると、第２レンズ群Ｌ２の正の屈折力が弱くなりすぎ、ズーミングに際して第２レンズ群Ｌ２の移動量が増大し、第１レンズ群Ｌ１と開口絞りＳＰの間の距離が大きくなる。そのため、第１レンズ群Ｌ１の有効径が大型化してしまい、高ズーム比化とズームレンズの小型軽量化が困難となる。
【００４０】
条件式（３）は広角端におけるレンズ全長、即ち最も物体側のレンズ面から像点の位置までの距離とバックフォーカスの関係を規定している。条件式（３）の下限を超えると長いバックフォーカスを確保するため、第１レンズ群Ｌ１の負の屈折力を強くする必要がある。そうすると、第２レンズ群Ｌ２以降のレンズ群の有効径が大きくなり、ズームレンズの小型軽量化が困難となる。条件式（３）の下限を超えると、バックフォーカスが短くなりすぎ、ズームレンズと撮像素子との間に、ローパスフィルタなどの光学フィルタを配置することが困難と成る。
【００４１】
なお、バックフォーカスｓｋｗは、ズームレンズの最も像側のレンズ面から、像面までの距離を示す。ズームレンズの最後部に挿入されるカバーガラスやプリズム、ローパスフィルタ等の実質的に屈折力を有さない光学部材の厚さは、空気換算した値とする。
【００４２】
条件式（４）は第１レンズ群Ｌ１の焦点距離と広角端におけるバックフォーカスの関係を規定している。条件式（４）の下限を超えると、バックフォーカスが短くなりすぎ、ズームレンズと撮像素子の間に、ローパスフィルタなどの光学フィルタを配置することが困難と成る。条件式（４）の上限を超えると、第１レンズ群Ｌ１の負の屈折力が強くなりすぎ、第２レンズ群Ｌ２以降のレンズ群への軸上光線の入射高さが増大し、望遠端において球面収差、コマ収差の補正が困難となる。
【００４３】
各実施例では条件式（１）乃至（４）を満たすことで、広画角で、明るいＦナンバーを有し全ズーム範囲にわたり高い光学性能を有するズームレンズを得ている。具体的には、Ｆナンバー２．０〜２．８で広角端における撮像画角度１００〜１２０度程度、ズーム比１．８〜２．０程度の高性能なズームレンズを得ている。
【００４４】
好ましくは条件式（１）乃至（４）の数値範囲を次の如く設定するのが良い。
−３．００＜ｆ１／ｆｗ＜−１．７５    ・・・（１ａ）
２．００＜ｆ２／ｆｗ＜１８．００      ・・・（２ａ）
８．５＜Ｌｗ／ｓｋｗ＜２０．０        ・・・（３ａ）
−５．００＜ｆ１／ｓｋｗ＜−１．２５  ・・・（４ａ）
【００４５】
各実施例において、更に好ましくは次の条件式のうち１つ以上を満足するのが良い。後群ＬＲに含まれる負の屈折力のレンズ群のうち、最も物体側に配置された負の屈折力のレンズ群ＬＮの焦点距離をｆｎとする。後群ＬＲは１つ以上の正の屈折力のレンズ群を有し、後群ＬＲに含まれる正の屈折力のレンズ群のうち最も像側の正の屈折力のレンズ群ＬＰの焦点距離をｆｐとする。このとき次の条件式のうち１つ以上を満足するのが良い。
【００４６】
０．３＜ｆ１／ｆｎ＜５．０            ・・・（５）
−２．０＜ｆ１／ｆｐ＜−０．２        ・・・（６）
【００４７】
次に前述の各条件式の技術的意味について説明する。条件式（５）は第１レンズ群Ｌ１の焦点距離と第２レンズ群Ｌ２以降の最も物体側の負の屈折力のレンズ群ＬＮの焦点距離の関係を規定している。条件式（５）の下限を超えると、レンズ群ＬＮの負の屈折力が強くなりすぎ、ズーミングに伴う収差変動の補正が困難と成る。条件式（５）の上限を超えると、負レンズ群ＬＮの屈折力が弱くなりすぎ、ズーミングにおけるレンズ群ＬＮの移動量が増大し、レンズ系が大型化してくる。
【００４８】
条件式（６）は第１レンズ群Ｌ１の焦点距離と後群ＬＲに含まれる最も像側に位置する正の屈折力のレンズ群ＬＰの焦点距離の関係を規定している。条件式（６）の下限を超えてレンズ群ＬＰの正の屈折力が強くなりすぎると、ズーミングに伴う収差変動の補正が困難と成る。条件式（６）の上限を超えて、レンズ群ＬＰの正の屈折力が弱くなりすぎると、所定量のバックフォーカスを確保するのが困難と成る。尚、各実施例において、収差補正上、更に好ましくは、条件式（５）、（６）の数値範囲を次の如く設定するのが良い。
【００４９】
０．４＜ｆ１／ｆｎ＜２．０      ・・・（５ａ）
−１．０＜ｆ１／ｆｐ＜−０．３  ・・・（６ａ）
【００５０】
各実施例のズームレンズはズーミングに際して第２レンズ群Ｌ２が移動することが好ましい。第１レンズ群Ｌ１に加えて、第２レンズ群Ｌ２を移動させることで、ズームレンズの小型軽量化と高ズーム比を達成することが容易となる。また正の屈折力の第２レンズ群Ｌ２を移動させることにより、第１レンズ群Ｌ１の移動量を低減させることができ、第１レンズ群Ｌ１の有効径の小型化が容易となる。
【００５１】
また、第２レンズ群Ｌ２よりも物体側に折り曲げ光学系（反射部材）を含まないことが好ましい。折り曲げ光学系を含む場合、第１レンズ群Ｌ１の最も物体側のレンズが開口絞りＳＰから遠くなり、レンズ有効径が大型化してくる。また、第１レンズ群Ｌ１は負レンズＧ１と負レンズＧ２はいずれも独立して構成することが好ましい。即ち両レンズの間に空気間隔が存在する。接合レンズにすると、有効径の大きいレンズ同士の接合レンズとなるため、材料の線膨張係数の差を考慮すると、製造性、レンズとしての安定性が低下してくる。
【００５２】
負レンズＧ１は、非球面量が正の非球面を有し、負レンズＧ２は非球面量が負の非球面を有することが好ましい。ここでレンズ面に形成される非球面量の定義について、図１２を用いて説明する。非球面量とは、図１２に示すように、非球面の参照球面からの乖離量の最大値を表している。参照球面の曲率半径は、面頂点と参照球面の光線有効径より決定される球面の半径である。非球面の参照球面からの乖離方向が、参照球面に対し、媒質を盛る方向を正の非球面量、媒質を削る方向を負の非球面量と定義している。
【００５３】
各実施例において、負レンズＧ１の物体側又は像側のレンズ面は非球面形状であり、その非球面量は正であることが良い。更に負レンズＧ２の物体側又は像側のレンズ面は非球面形状であり、その非球面量は負であることが好ましい。広画角のズームレンズでは、一般に最も物体側のレンズより、歪曲収差が大きく発生する。このため、軸外光線の入射高さの高い位置に正の非球面量を有する非球面レンズを配置することで歪曲を良好に補正することが容易となる。
【００５４】
また、各実施例では負レンズＧ１の正の非球面量の非球面より発生する非点収差を、軸外光線の入射高さが下がった位置に、負の非球面量を持つ非球面を配置することで補正している。
【００５５】
以上のように、各要素を特定することによって、広画角で、明るく全ズーム範囲にわたり高い光学性能を有するズームレンズを実現している。
【００５６】
次に各実施例のズームレンズのレンズ構成について説明する。
［実施例１］
実施例１は、物体側から像側へ順に配置された、負の屈折力の第１レンズ群Ｌ１、正の屈折力の第２レンズ群Ｌ２、後群ＬＲより構成される。後群ＬＲは負の屈折力の第３レンズ群Ｌ３（レンズ群ＬＮ）、正の屈折力の第４レンズ群Ｌ４（レンズ群ＬＰ）からなる。また、第１レンズ群Ｌ１と第２レンズ群Ｌ２の間には、ズーミングに際して、他のレンズ群とは独立（異なった軌跡）に移動する補助絞りＳＰ１を有する。さらに、第２レンズ群Ｌ２中には、開口絞りＳＰと、補助絞りＳＰ２を有する。無限遠から至近へのフォーカシングに際し、第３レンズ群Ｌ３は像側へ移動する。
【００５７】
［実施例２］
実施例２はレンズ群の数、各レンズ群の屈折力の符号、ズーミングにおける各レンズ群の移動条件等のズームタイプは実施例１と同じである。また、第１レンズ群Ｌ１と第２レンズ群Ｌ２の間には、ズーミングに際して他のレンズ群とは独立に移動する補助絞りＳＰ１を有する。さらに、第２レンズ群Ｌ２中には、開口絞りＳＰと、補助絞りＳＰ２を有する。無限遠から至近へのフォーカシングに際し、第３レンズ群Ｌ３は像側へ移動する。
【００５８】
［実施例３］
実施例３は、物体側から像側へ順に配置された、負の屈折力の第１レンズ群Ｌ１、正の屈折力の第２レンズ群Ｌ２、後群ＬＲより構成される。後群ＬＲは正の屈折力の第３レンズ群Ｌ３、負の屈折力の第４レンズ群Ｌ４（レンズ群ＬＮ）、正の屈折力の第５レンズ群Ｌ５（レンズ群ＬＰ）からなる。開口絞りＳＰは第３レンズ群Ｌ３中に配置されている。無限遠から至近へのフォーカシングに際し、第４レンズ群Ｌ４は像側へ移動する。
【００５９】
［実施例４］
実施例４のズームタイプは実施例３と同じである。第１レンズ群Ｌ１と第２レンズ群Ｌ２の間には、ズーミングに際して独立に移動する補助絞りＳＰ１を有する。無限遠から至近へのフォーカシングに際し、第４レンズ群Ｌ４は像側へ移動する。
【００６０】
［実施例５］
実施例５は、物体側から像側へ順に配置された、負の屈折力の第１レンズ群Ｌ１、正の屈折力の第２レンズ群Ｌ２、後群ＬＲより構成される。後群ＬＲは正の屈折力の第３レンズ群Ｌ３、負の屈折力の第４レンズ群Ｌ４（レンズ群ＬＮ）、正の屈折力の第５レンズ群Ｌ５（レンズ群ＬＰ）、負の屈折力の第６レンズ群Ｌ６からなる。開口絞りＳＰは第３レンズ群Ｌ３内に配置されている。無限遠から至近へのフォーカシングに際し、第４レンズ群Ｌ４は像側へ移動する。
【００６１】
次に本発明のズームレンズを撮像光学系として用いたデジタルスチルカメラの実施例を図１１を用いて説明する。図１１において、１０はカメラ本体、１１は実施例１乃至５で説明したいずれかのズームレンズによって構成された撮影光学系である。１２はカメラ本体に内蔵され、撮影光学系１１によって形成された被写体像を受光するＣＣＤセンサやＣＭＯＳセンサ等の撮像素子（光電変換素子）である。
【００６２】
以上、本発明の好ましい実施形態について説明したが、本発明はこれらの実施形態に限定されず、その要旨の範囲内で種々の変形および変更が可能である。たとえば、各実施例は防振レンズを有していないが、たとえば後群内に防振レンズを有しても良い。また、屈折光学素子（いわゆるレンズ）だけでなく、回折光学素子を有したズームレンズであっても良い。
【００６３】
以下に、本発明の各実施例の数値データを示す。各数値データにおいて、ｉは物体側からの面の順序を示す。ｒｉは物体側より順に第ｉ番目の面の曲率半径、ｄｉは物体側より順に第ｉ番目と第ｉ＋１番目間のレンズ厚及び空気間隔、ｎｉとνｉは各々物体側より順に第ｉ番目の光学部材の材質の屈折率とアッベ数である。
【００６４】
ＢＦはバックフォーカスであり、最終レンズ面から像面までの空気換算距離で示している。レンズ全長は最物体側レンズ面から最像側レンズ面までの光軸上の距離にバックフォーカスの値を加えた値である。非球面形状は光軸方向にＸ軸、光軸と垂直方向にＨ軸、光の進行方向を正としている。Ｒを近軸曲率半径、ｋを円錐常数、Ａ４、Ａ６、Ａ８、Ａ１０、Ａ１２、Ａ１４、Ａ１６、Ａ３、Ａ５、Ａ７、Ａ９、Ａ１１、Ａ１３、Ａ１５をそれぞれ非球面係数としたとき、次式で表している。
【００６５】
【数１】
2019191307.tif 000003
【００６６】
また、「ｅ−Ｚ」は「×１０−Ｚ」を意味する。前述の各条件式と各数値データとの関係をそれぞれ表１に示す。
【００６７】
［数値データ１］
単位 mm
面データ
面番号       r        d      nd         νd       有効径
1*        37.791    3.65   1.67790    54.9       72.40
2*        15.611   18.75                         49.95
3*      -594.510    2.00   1.90270    31.0       49.18
4*        75.786    6.93                         41.90
5        -81.443    1.70   1.59522    67.7       41.83
6         32.296   11.87   1.91082    35.3       41.62
7       -228.429  (可変)                         40.68
8          ∞     (可変)                         27.92
9*        38.619    4.04   1.95375    32.3       29.05
10         64.460    3.74                         28.58
11(絞り)    ∞       6.76                         28.83
12        514.154    1.50   1.76182    26.5       29.67
13         25.619    5.79   1.53775    74.7       29.93
14        112.457    0.20                         30.47
15*        31.918    8.05   1.43875    94.7       32.54
16        -69.228    0.20                         32.56
17          ∞       0.00                         32.14
18         41.378    6.96   2.00069    25.5       31.52
19        -61.749    1.00   1.59551    39.2       30.55
20         23.778    1.52                         25.18
21         31.862    9.33   1.49700    81.5       25.22
22        -18.596    1.00   1.85896    22.7       25.12
23        -49.281  (可変)                         26.32
24        -44.362    2.72   1.95906    17.5       26.40
25        -28.947    0.43                         26.88
26*      -137.371    0.80   1.90270    31.0       26.08
27*        32.527  (可変)                         26.79
28         82.868    9.51   1.49700    81.5       40.08
29        -44.803   16.13                         40.93
像面        ∞   
【００６８】
非球面データ
第1面
K  = 0.00000e+000  A 4=-1.79480e-005  A 6= 2.41730e-009 
A 8= 1.13762e-011  A10=-7.00097e-015  A12= 2.00332e-017 
A14=-3.42565e-021  A16= 3.27732e-024  
A 3=-1.02313e-004  A 5= 5.36476e-007  A 7=-4.27524e-010 
A 9= 4.40070e-014  A11=-4.30405e-016  A13= 7.83767e-021 
A15=-1.71246e-022  
第2面
K  =-6.49173e-001  A 4=-2.56232e-005  A 6=-5.70660e-008 
A 8= 2.11114e-011  A10= 5.72153e-014  A12=-1.39420e-016 
A14= 3.52760e-019  A16=-4.60310e-022  
A 3=-1.03105e-004  A 5= 1.06161e-006  A 7= 1.83806e-010 
A 9= 2.88168e-013  A11=-2.62918e-015  A13=-4.12693e-018 
A15= 9.44822e-021  
第3面
K  =-1.87217e+003  A 4=-1.30430e-005  A 6=-7.57683e-009 
A 8= 8.84942e-011  A10=-4.30447e-014  A12=-2.50000e-016 
A14= 4.06665e-019  A16=-1.86494e-022  
第4面
K  = 1.00841e+001  A 4=-1.11052e-005  A 6= 3.40378e-009 
A 8= 9.83394e-011  A10=-1.78530e-013  A12= 2.79102e-016 
A14=-3.60461e-019  A16= 5.09673e-023  
第9面
K  =-1.14384e+000  A 4=-1.54183e-007  A 6= 2.15332e-009 
A 8=-4.94228e-011  A10= 2.33122e-013  A12=-4.32007e-016  
第15面
K  = 1.59731e+000  A 4=-1.07031e-005  A 6=-2.31380e-010 
A 8=-5.76138e-011  A10= 2.05986e-013  A12=-6.14996e-016  
第26面
K  =-6.75894e+001  A 4=-3.15850e-005  A 6= 7.17207e-008 
A 8=-5.82007e-010  A10= 2.41481e-012  A12=-4.76753e-015  
第27面
K  = 8.38581e-002  A 4=-9.52121e-006  A 6= 5.87164e-008 
A 8=-4.63121e-010  A10= 1.80935e-012  A12=-3.10520e-015  
【００６９】
各種データ
ズーム比     1.88 
広角     中間     望遠
焦点距離      14.42    19.78    27.16  
Fナンバー      2.06     2.06     2.06  
半画角（度）  56.32    47.56    38.54  
像高          21.64    21.64    21.64  
レンズ全長   164.32   150.29   146.47  
BF            16.13    16.13    16.13  
d 7           28.51    12.28     0.20  
d 8            6.50     2.00     0.20  
d23            1.15     2.98     4.30  
d27            3.58     8.46    17.20  
入射瞳位置    27.74    25.35    23.01  
射出瞳位置   -71.51  -101.69  -207.80  
前側主点位置  39.78    41.82    46.88  
後側主点位置   1.71    -3.65   -11.03  
レンズ群データ
群  始面    焦点距離  レンズ構成長  前側主点位置  後側主点位置
1    1     -33.25        44.90         4.63        -34.21
2    9      31.83        50.08        20.87        -20.89
3   24     -44.26         3.96         1.20         -0.98
4   28      60.00         9.51         4.23         -2.29
単レンズデータ
レンズ  始面  焦点距離
1       1    -42.03
2       3    -74.36
3       5    -38.64
4       6     31.76
5       9     93.85
6      12    -35.44
7      13     60.29
8      15     51.03
9      18     25.62
10      19    -28.70
11      21     25.17
12      22    -35.30
13      24     79.95
14      26    -29.07
15      28     60.00
【００７０】
［数値データ２］
単位 mm
面データ
面番号       r        d      nd         νd       有効径
1*        39.537    4.00   1.75500    52.3       76.00
2*        15.645   20.13                         51.78
3*      5631.265    2.28   1.89190    37.1       48.74
4*        77.182    6.81                         41.14
5        -82.139    1.70   1.59522    67.7       40.93
6         33.924    9.25   1.91082    35.3       40.23
7       -315.039  (可変)                         39.71
8          ∞     (可変)                         29.27
9*       189.118    1.50   1.74950    35.3       29.61
10         69.955    4.24   1.95375    32.3       30.14
11       -315.456    9.01                         30.44
12(絞り)    ∞       1.11                         32.02
13      -1168.888    1.50   1.72825    28.5       32.19
14         37.665    4.03   1.53775    74.7       32.78
15         85.261    0.20                         33.26
16*        28.152    9.69   1.43875    94.7       36.20
17        -88.778    4.44                         36.11
18          ∞       0.00                         34.51
19         31.804    5.69   2.00100    29.1       33.30
20        169.183    1.00   1.67300    38.1       32.06
21         21.389    1.82                         27.64
22         27.410   11.11   1.49700    81.5       27.49
23        -19.622    1.00   1.85478    24.8       26.00
24        -38.583  (可変)                         25.76
25        -49.924    2.81   1.92286    18.9       24.71
26        -28.520    0.19                         25.14
27*       -56.150    0.80   1.90270    31.0       24.71
28*        50.534  (可変)                         25.55
29        218.768    8.31   1.49700    81.5       39.87
30        -41.433  (可変)                         40.76
像面        ∞   
【００７１】
非球面データ
第1面
K  = 0.00000e+000  A 4=-1.83628e-005  A 6=-5.79426e-009 
A 8=-1.53669e-011  A10=-1.61420e-015  A12=-4.71374e-018 
A14= 8.65386e-021  A16= 4.99927e-024  
A 3=-1.14883e-007  A 5= 4.84972e-007  A 7= 3.10781e-010 
A 9= 3.59972e-013  A11=-1.50740e-016  A13= 2.54515e-019 
A15=-4.65116e-022  
第2面
K  =-6.67032e-001  A 4=-2.88337e-005  A 6=-5.99585e-008 
A 8= 3.28868e-010  A10=-8.24585e-014  A12= 3.40708e-017 
A14= 3.12849e-019  A16=-1.10435e-021  
A 3= 3.84504e-005  A 5= 1.30167e-006  A 7=-2.41024e-009 
A 9=-1.23484e-011  A11= 1.78200e-014  A13=-3.68334e-017 
A15= 4.75578e-020  
第3面
K  = 5.16241e+004  A 4=-1.15006e-005  A 6=-2.72234e-008 
A 8= 1.24753e-010  A10= 3.44213e-014  A12=-6.31339e-016 
A14= 9.44781e-019  A16=-4.58017e-022  
第4面
K  =-6.71246e+000  A 4=-5.68084e-006  A 6=-1.03389e-008 
A 8= 1.11021e-010  A10= 2.60807e-013  A12=-1.77102e-015 
A14= 3.77140e-018  A16=-2.96590e-021  
第9面
K  =-3.72144e+002  A 4= 5.48393e-006  A 6=-2.52868e-008 
A 8= 7.05534e-011  A10=-9.07691e-014  A12=-3.39595e-018  
第16面
K  =-3.61466e+000  A 4= 1.64254e-005  A 6=-2.32249e-008 
A 8= 3.53938e-011  A10=-2.99083e-014  A12= 1.87562e-017  
第27面
K  = 1.80325e+000  A 4=-2.73979e-005  A 6= 1.16938e-007 
A 8=-5.86349e-010  A10= 9.35341e-013  A12=-2.79167e-016  
第28面
K  =-3.32879e+001  A 4= 2.49156e-005  A 6=-3.63599e-008 
A 8= 1.78305e-010  A10=-1.37332e-012  A12= 3.00061e-015  
【００７２】
各種データ
ズーム比     1.88 
広角     中間     望遠
焦点距離      14.42    19.40    27.16  
Fナンバー      2.06     2.06     2.06  
半画角（度）  56.32    48.12    38.54  
像高          21.64    21.64    21.64  
レンズ全長   168.64   158.85   156.10  
BF            16.32    16.32    16.32  
d 7           20.75    14.17     0.20  
d 8           11.30     0.53     0.20  
d24            1.00     2.08     3.46  
d28            6.66    13.13    23.30  
d30           16.32    16.32    16.32  
入射瞳位置    26.82    25.26    23.43  
射出瞳位置   -76.41  -112.40  -225.39  
前側主点位置  39.00    41.74    47.54  
後側主点位置   1.90    -3.08   -10.84  
レンズ群データ
群  始面    焦点距離  レンズ構成長  前側主点位置  後側主点位置
1    1     -29.29        44.16         5.57        -32.01
2    8       ∞           0.00         0.00         -0.00
3    9      32.98        56.34        26.24        -23.04
4   25     -49.94         3.80         0.80         -1.24
5   29      70.84         8.31         4.72         -0.89
単レンズデータ
レンズ  始面  焦点距離
1       1    -36.95
2       3    -87.76
3       5    -40.12
4       6     34.06
5       9   -148.93
6      10     60.36
7      13    -50.08
8      14    121.86
9      16     49.98
10      19     38.33
11      20    -36.48
12      22     24.97
13      23    -47.88
14      25     67.81
15      27    -29.36
16      29     70.84
【００７３】
［数値データ３］
単位 mm
面データ
面番号       r        d      nd         νd       有効径
1*        34.639    2.70   1.58913    61.1       65.00
2*        13.783   17.67                         44.02
3*      -447.531    2.00   1.90270    31.0       41.64
4*        72.436    5.69                         35.86
5        -73.400    2.63   1.60300    65.4       35.74
6         27.383    8.45   1.91082    35.3       34.42
7       -428.225  (可変)                         33.72
8*        36.941    3.00   1.85150    40.8       20.02
9         52.397  (可変)                         19.85
10(絞り)    ∞       3.03                         20.48
11        170.003    1.50   1.74950    35.3       21.19
12         25.098    4.01   1.53775    74.7       21.43
13        203.344    1.09                         21.83
14*        27.068    7.19   1.43875    94.7       23.14
15        -78.231    0.20                         23.04
16         33.314    4.50   2.00100    29.1       22.52
17        -86.240    1.00   1.59551    39.2       21.71
18         20.864    2.07                         19.16
19         29.030    7.73   1.49700    81.5       19.83
20        -15.590    1.35   1.85896    22.7       19.93
21        -36.456  (可変)                         21.08
22        -35.563    2.73   1.95906    17.5       21.19
23        -22.410    0.47                         21.74
24*       -66.043    0.80   1.90270    31.0       21.08
25*        28.662  (可変)                         21.84
26         92.094    9.79   1.49700    81.5       40.43
27        -41.934  (可変)                         41.33
像面        ∞   
【００７４】
非球面データ
第1面
K  = 0.00000e+000  A 4=-2.12683e-005  A 6=-4.09369e-008 
A 8=-1.30860e-010  A10= 1.15225e-013  A12= 1.41929e-016 
A14=-1.55951e-019  A16=-1.63756e-023  
A 3=-1.18659e-004  A 5= 9.37186e-007  A 7= 2.88658e-009 
A 9= 2.00732e-012  A11=-7.69514e-015  A13= 2.45879e-018 
A15= 2.63675e-021  
第2面
K  =-7.27604e-001  A 4=-1.99811e-005  A 6=-7.90673e-008 
A 8=-3.81958e-010  A10=-4.72019e-012  A12=-3.87844e-016 
A14= 1.59811e-017  A16= 1.42890e-021  
A 3=-1.16239e-004  A 5= 1.08712e-006  A 7= 2.04095e-009 
A 9= 5.99838e-011  A11= 1.88660e-013  A13=-3.45283e-016 
A15=-2.91325e-019  
第3面
K  =-3.27235e+003  A 4=-1.04740e-005  A 6=-7.55756e-009 
A 8= 1.15188e-010  A10=-8.90185e-014  A12=-3.21263e-016 
A14= 4.77326e-019  A16=-9.11297e-023  
第4面
K  = 1.20943e+001  A 4=-5.91774e-006  A 6=-6.30846e-009 
A 8= 1.75892e-010  A10=-3.26066e-013  A12= 2.28970e-016 
A14= 7.99940e-019  A16=-2.38871e-021  
第8面
K  =-2.10745e+000  A 4= 1.15089e-006  A 6=-8.59361e-009 
A 8= 7.84776e-011  A10=-6.16534e-013  A12= 1.28772e-015  
第14面
K  = 1.86037e+000  A 4=-1.57353e-005  A 6=-2.30348e-008 
A 8=-7.74897e-011  A10=-1.47092e-013  A12=-1.63741e-015  
第24面
K  =-5.25994e+000  A 4=-4.69971e-005  A 6= 7.24817e-008 
A 8=-9.26476e-010  A10= 4.20543e-012  A12=-1.00325e-014  
第25面
K  =-7.70969e-001  A 4=-4.49466e-006  A 6= 8.96090e-008 
A 8=-7.13643e-010  A10= 2.53499e-012  A12=-3.29543e-015  
【００７５】
各種データ
ズーム比     1.91 
広角     中間     望遠
焦点距離      14.20    20.21    27.16  
Fナンバー      2.80     2.80     2.80  
半画角（度）  56.72    46.95    38.54  
像高          21.64    21.64    21.64  
レンズ全長   142.27   132.17   131.64  
BF            13.76    13.76    13.76  
d 7           24.97     8.83     0.20  
d 9            7.27     5.42     3.89  
d21            1.00     1.89     2.28  
d25            5.68    12.67    21.91  
d27           13.76    13.76    13.76  
入射瞳位置    25.01    22.73    20.85  
射出瞳位置   -60.79   -98.17  -206.56  
前側主点位置  36.50    39.29    44.66  
後側主点位置  -0.44    -6.45   -13.40  
レンズ群データ
群  始面    焦点距離  レンズ構成長  前側主点位置  後側主点位置
1    1     -28.72        39.14         5.33        -27.55
2    8     135.02         3.00        -3.55         -5.04
3   10      26.62        33.67        12.95        -11.45
4   22     -34.47         4.00         1.24         -0.96
5   26      59.42         9.79         4.61         -2.10
単レンズデータ
レンズ  始面  焦点距離
1       1    -40.81
2       3    -68.94
3       5    -32.75
4       6     28.51
5       8    135.02
6      11    -39.46
7      12     52.83
8      14     46.81
9      16     24.47
10      17    -28.11
11      19     21.65
12      20    -32.69
13      22     57.36
14      24    -22.05
15      26     59.42
【００７６】
［数値データ４］
単位 mm
面データ
面番号       r        d      nd         νd       有効径
1*        38.622    2.70   1.61800    63.3       68.73
2*        13.581   18.21                         44.74
3*      -451.093    2.00   2.00100    29.1       44.08
4*        77.748    6.87                         39.51
5        -57.857    1.70   1.53996    59.5       39.50
6         37.176   11.46   1.90067    38.5       42.11
7        -77.232  (可変)                         41.94
8          ∞     (可変)                         21.97
9*        41.052    3.00   1.81600    46.6       22.52
10         80.302  (可変)                         22.26
11(絞り)    ∞       4.32                         22.31
12        396.989    1.50   1.76200    40.1       22.38
13         23.504    4.55   1.49700    81.5       22.32
14        404.994    0.20                         22.65
15*        27.511    5.75   1.49700    81.5       23.46
16        -93.934    0.98                         23.14
17         36.102    3.94   2.00069    25.5       21.99
18       -149.333    1.00   1.65412    39.7       21.09
19         20.309    2.16                         18.77
20         27.160    9.50   1.49700    81.5       18.23
21        -16.306    1.00   1.89286    20.4       18.84
22        -46.100  (可変)                         19.95
23        -48.216    2.73   1.95906    17.5       20.58
24        -24.403    0.22                         21.13
25*       -75.469    0.80   1.95150    29.8       20.90
26*        31.192  (可変)                         21.83
27        175.836    8.33   1.64000    60.1       40.92
28        -45.547  (可変)                         41.82
像面        ∞   
【００７７】
非球面データ
第1面
K  = 0.00000e+000  A 4=-2.27715e-005  A 6=-4.31789e-008 
A 8=-1.31075e-010  A10= 1.14627e-013  A12= 1.42638e-016 
A14=-1.55711e-019  A16=-1.57914e-023  
A 3=-1.27181e-004  A 5= 1.04776e-006  A 7= 2.90130e-009 
A 9= 2.06942e-012  A11=-7.73486e-015  A13= 2.44229e-018 
A15= 2.63161e-021  
第2面
K  =-7.87879e-001  A 4=-1.94262e-005  A 6=-8.43351e-008 
A 8=-2.36599e-010  A10=-4.67436e-012  A12=-1.04943e-015 
A14= 1.59155e-017  A16= 1.12710e-021  
A 3=-1.25923e-004  A 5= 1.30577e-006  A 7= 6.54945e-010 
A 9= 5.39613e-011  A11= 1.99143e-013  A13=-3.27211e-016 
A15=-2.87372e-019  
第3面
K  =-1.83421e+003  A 4=-1.60103e-005  A 6=-5.24376e-009 
A 8= 1.35600e-010  A10=-1.22945e-013  A12=-3.08873e-016 
A14= 4.63162e-019  A16=-7.58375e-023  
第4面
K  = 1.26525e+001  A 4=-1.46494e-005  A 6= 5.14574e-009 
A 8= 1.87595e-010  A10=-4.64297e-013  A12= 4.02323e-016 
A14= 4.45676e-019  A16=-1.48768e-021  
第9面
K  = 7.71276e-001  A 4=-4.89660e-006  A 6=-3.18179e-009 
A 8=-3.62361e-011  A10= 5.99457e-013  A12=-2.51883e-015  
第15面
K  = 2.47421e+000  A 4=-1.21020e-005  A 6=-3.30893e-008 
A 8=-2.95248e-010  A10= 1.34090e-012  A12=-1.00697e-014  
第25面
K  =-1.09865e+001  A 4=-4.43982e-005  A 6= 6.73788e-008 
A 8=-9.03372e-010  A10= 6.94219e-012  A12=-3.25138e-014  
第26面
K  =-3.65502e-001  A 4=-9.71542e-006  A 6= 5.25492e-008 
A 8=-3.91028e-010  A10= 2.21976e-012  A12=-1.04990e-014  
【００７８】
各種データ
ズーム比     1.91 
広角     中間     望遠
焦点距離      14.20    19.79    27.16  
Fナンバー      2.88     2.88     2.88  
半画角（度）  56.72    47.55    38.54  
像高          21.64    21.64    21.64  
レンズ全長   158.77   145.08   138.47  
BF            13.47    13.47    13.47  
d 7           32.72    17.39     1.00  
d 8           10.22     2.81     1.00  
d10            1.28     1.98     4.07  
d22            2.00     1.13     1.20  
d26            6.16    15.38    24.82  
d28           13.47    13.47    13.47  
入射瞳位置    24.97    22.63    20.32  
射出瞳位置   -61.88  -117.72  -291.75  
前側主点位置  36.50    39.43    45.07  
後側主点位置  -0.73    -6.32   -13.69  
レンズ群データ
群  始面    焦点距離  レンズ構成長  前側主点位置  後側主点位置
1    1     -42.50        42.94        -4.76        -53.00
2    8       ∞           0.00         0.00         -0.00
3    9      99.51         3.00        -1.67         -3.27
4   11      37.73        34.89        11.33        -13.14
5   23     -42.53         3.76         1.13         -0.85
6   27      57.37         8.33         4.10         -1.06
単レンズデータ
レンズ  始面  焦点距離
1       1    -35.35
2       3    -66.13
3       5    -41.66
4       6     29.25
5       9     99.51
6      12    -32.84
7      13     50.01
8      15     43.50
9      17     29.36
10      18    -27.27
11      20     22.10
12      21    -28.71
13      23     48.78
14      25    -23.11
15      27     57.37
【００７９】
［数値データ５］
単位 mm
面データ
面番号       r        d      nd         νd       有効径
1*        33.308    2.70   1.58913    61.1       61.34
2*        14.117   18.30                         43.28
3*      -653.628    2.00   1.90270    31.0       37.98
4*        76.469    3.94                         34.17
5        -94.454    2.48   1.53775    74.7       34.07
6         25.896    7.14   1.91082    35.3       32.41
7        233.468  (可変)                         31.57
8*        44.812    3.04   1.69895    30.1       22.39
9         55.925  (可変)                         22.50
10(絞り)    ∞       1.00                         22.74
11        493.983    1.50   1.76200    40.1       23.15
12         32.647    4.14   1.49700    81.5       23.82
13       1401.098    0.22                         24.54
14*        28.718    8.51   1.49700    81.5       26.47
15        -66.746    1.00                         26.49
16         34.979    4.27   2.00100    29.1       25.56
17      -1432.992    1.00   1.60342    38.0       24.69
18         21.799    4.32                         22.17
19         28.595    7.62   1.49700    81.5       21.14
20        -16.634    2.00   1.85478    24.8       20.61
21        -35.064  (可変)                         21.92
22        -37.729    2.76   1.95906    17.5       22.01
23        -24.859    0.21                         22.58
24*      -116.365    0.80   1.90270    31.0       21.99
25*        30.368  (可変)                         22.41
26        142.048    9.54   1.62230    53.2       32.03
27        -36.816  (可変)                         33.78
28       5244.143    1.06   1.85150    40.8       34.80
29         75.503  (可変)                         35.15
像面        ∞   
【００８０】
非球面データ
第1面
K  = 0.00000e+000  A 4=-2.72817e-005  A 6=-3.89696e-008 
A 8=-1.33039e-010  A10= 1.16553e-013  A12= 1.44704e-016 
A14=-1.52873e-019  A16=-1.57124e-023  
A 3=-7.34325e-005  A 5= 1.12667e-006  A 7= 2.76604e-009 
A 9= 2.02563e-012  A11=-7.70330e-015  A13= 2.32103e-018 
A15= 2.57854e-021  
第2面
K  =-7.08522e-001  A 4=-2.51137e-005  A 6=-6.79926e-008 
A 8=-3.15882e-010  A10=-4.68895e-012  A12=-3.34879e-016 
A14= 1.67385e-017  A16= 1.14074e-021  
A 3=-8.23960e-005  A 5= 1.29908e-006  A 7= 6.51103e-010 
A 9= 6.08343e-011  A11= 1.79624e-013  A13=-3.50651e-016 
A15=-3.01174e-019  
第3面
K  =-1.25547e+004  A 4=-1.48115e-005  A 6=-1.22310e-008 
A 8= 1.35017e-010  A10=-1.03768e-013  A12=-3.69341e-016 
A14= 4.87948e-019  A16= 9.13083e-023  
第4面
K  = 1.38365e+001  A 4=-9.76296e-006  A 6=-2.78344e-008 
A 8= 3.24084e-010  A10=-9.26827e-013  A12= 1.80972e-015 
A14=-1.85853e-018  A16=-1.92565e-023  
第8面
K  = 8.42840e+000  A 4=-1.68505e-005  A 6=-3.26827e-008 
A 8=-2.22636e-010  A10= 1.31971e-012  A12=-8.53653e-015  
第14面
K  = 2.07287e+000  A 4=-1.36021e-005  A 6=-4.39301e-009 
A 8=-3.74948e-010  A10= 1.96590e-012  A12=-6.42631e-015  
第24面
K  = 4.58017e+001  A 4=-3.40234e-005  A 6= 1.46907e-007 
A 8=-1.51111e-009  A10= 5.53915e-012  A12=-4.81394e-015  
第25面
K  =-1.69286e+000  A 4=-8.79800e-007  A 6= 1.25231e-007 
A 8=-1.14382e-009  A10= 3.07407e-012  A12= 6.01883e-016  
【００８１】
各種データ
ズーム比     2.02 
広角     中間     望遠
焦点距離      17.08    25.00    34.50  
Fナンバー      2.88     2.88     2.88  
半画角（度）  51.72    40.87    32.09  
像高          21.64    21.64    21.64  
レンズ全長   149.84   137.33   138.29  
BF            14.04    16.77    25.28  
d 7           26.75     8.43     0.26  
d 9            6.51     4.18     1.80  
d21            1.00     3.08     3.90  
d25            9.00    12.41    17.02  
d27            3.00     2.93     0.50  
d29           14.04    16.77    25.28  
入射瞳位置    26.45    23.30    20.77  
射出瞳位置   -55.50   -64.93   -78.38  
前側主点位置  39.34    40.65    43.79  
後側主点位置  -3.04    -8.23    -9.22  
レンズ群データ
群  始面    焦点距離  レンズ構成長  前側主点位置  後側主点位置
1    1     -30.00        36.55         6.64        -22.68
2    8     290.00         3.04        -6.49         -8.09
3   10      27.92        35.59        13.50        -13.49
4   22     -41.51         3.76         0.74         -1.25
5   26      47.96         9.54         4.77         -1.24
6   28     -89.97         1.06         0.58          0.01
単レンズデータ
レンズ  始面  焦点距離
1       1    -43.88
2       3    -75.74
3       5    -37.52
4       6     31.46
5       8    290.00
6      11    -45.94
7      12     67.19
8      14     41.63
9      16     34.16
10      17    -35.58
11      19     22.41
12      20    -38.97
13      22     68.77
14      24    -26.61
15      26     47.96
16      28    -89.97
【００８２】
【表１】
2019191307.tif 000004
【符号の説明】
【００８３】
Ｌ１  第１レンズ群      Ｌ２  第２レンズ群
ＬＲ  後群      Ｇ１  負レンズ      Ｇ２  負レンズ      Ｇ３  負レンズ
【図１】
2019191307.tif 000005
【図２】
2019191307.tif 000006
【図３】
2019191307.tif 000007
【図４】
2019191307.tif 000008
【図５】
2019191307.tif 000009
【図６】
2019191307.tif 000010
【図７】
2019191307.tif 000011
【図８】
2019191307.tif 000012
【図９】
2019191307.tif 000013
【図１０】
2019191307.tif 000014
【図１１】
2019191307.tif 000015
【図１２】
2019191307.tif 000016